(57)【要約】  ロード／アンロード方式のディスク装置において、装置の非動作時に、ディスクに情報を読み書きするヘッドをスイングアームによってディスクの外部に退避させた時に、スイングアームの先端部に設けられたリフトタブを保持するランプ機構を、リフトタブを保持する保持部材と、この保持部を載置すると共に載置位置の調整可能なガイドを備えた取付部材とから構成する。保持部材は取付部材の上に載置後仮固定し、その後にこのガイドにより保持部材をリフトタブの回転軌道に沿った方向に位置を調節できるようにした。
2008117465.tif 000002
【特許請求の範囲】
【請求項１】
装置の動作時にスイングアームの先端部に設けられたヘッドにより情報を記憶媒体に読み書きし、非動作時に前記ヘッドを前記記憶媒体の外周部近傍に設けられたランプ機構に退避させる記憶装置であって、
前記ランプ機構を、
前記スイングアームの最先端部に設けられたリフトタブを保持するランプを有する保持部材と、
前記保持部材を載置するために前記記憶装置のベース上に設けられ、前記保持部材を前記リフトタブの回転軌道に沿った方向に移動させる時のガイドを備える取付部材と、
前記保持部材を前記取付部材に結合する結合部材とから構成したことを特徴とする記憶装置。
【請求項２】
請求項１に記載の記憶装置であって、
前記保持部材の移動方向に沿うと共に前記保持部材を上下方向に貫通する長孔を前記保持部材に形成し、
前記取付部材には、前記保持部材の載置時に前記長孔に重なるネジ穴を形成し、
前記結合部材を、前記長孔を貫通して前記ネジ穴に螺着されるネジとしたことを特徴とする記憶装置。
【請求項３】
請求項２に記載の記憶装置であって、
前記取付部材の前記保持部材の背面に接する面を、前記スイングアームの回転軸を中心とする円周面に構成してガイドとし、
前記保持部材の前記背面を、前記ガイドと同じ円周面を形成したことを特徴とする記憶装置。
【請求項４】
請求項３に記載の記憶装置であって、
前記取付部材を低壁部と、この低壁部よりも高い高壁部とから構成し、
前記高壁部を前記低壁部の外側に形成して前記ガイドを形成し、
前記ネジ穴は前記低壁部の頂面に形成したことを特徴とする記憶装置。
【請求項５】
請求項４に記載の記憶装置であって、
前記低壁部の頂面の前記高壁部から離れた部位に、前記保持部材の移動方向に沿ったガイド溝を形成し、
前記取付部材の底面には前記ガイド溝内を摺動可能な、少なくとも１本のガイドピンを設けたことを特徴とする記憶装置。
【請求項６】
請求項２に記載の記憶装置であって、
前記ガイドを、前記取付部材の頂面に形成された前記スイングアームの回転軸を中心とする円周溝として形成し、
前記保持部材の底面に、前記円周溝内を摺動する円弧状の突条を設けたことを特徴とする記憶装置。
【請求項７】
請求項２に記載の記憶装置であって、
前記ガイドを、前記取付部材の頂面に形成した前記スイングアームの回転軸を中心とする円周溝とし、
前記保持部材の底面に、前記円周溝内を摺動可能で、前記スイングアームの回転軸を中心とする円周上に配置された少なくとも２本の円柱状の突起を設けたことを特徴とする記憶装置。
【請求項８】
請求項２に記載の記憶装置であって、
前記ガイドを、前記取付部材の頂面に形成された前記スイングアームの回転軸を中心とする円弧状のレールとし、
前記保持部材の底面に、前記レールを受け入れて摺動させる円周溝を設けたことを特徴とする記憶装置。
【請求項９】
請求項３に記載の記憶装置であって、
前記取付部材を低壁部と、この低壁部よりも高い高壁部とから構成し、
前記高壁部を前記低壁部の内側に形成して、その外周面を前記スイングアームの回転軸を中心とする円周面に形成して前記ガイドとし、
前記保持部材の底面に、前記低壁部に向かう突条を形成し、この突条の内周面を、前記高壁部の外周面形状に一致する円周面とし、
前記高壁部の頂面に前記ネジ穴を形成したことを特徴とする記憶装置。
【請求項１０】
請求項１に記載の記憶装置であって、更に、
前記保持部材に前記ガイドに沿う方向に取り付けられたラックと、前記取付部材の上に軸支されて前記ラックに噛み合うピニオンとを少なくとも備えた駆動機構を備え、
前記ピニオンを外部から回転させることにより、前記保持部材を移動させることができるようにしたことを特徴とする記憶装置。
【請求項１１】
装置の動作時にスイングアームの先端部に設けられたヘッドにより情報を記憶媒体に読み書きし、非動作時に前記ヘッドを前記記憶媒体の外周部近傍に設けられたランプ機構に退避させる記憶装置の筐体であって、
前記ランプ機構が、前記スイングアームの最先端部に設けられたリフトタブを保持するランプを有する保持部材を備える場合に、
前記筐体のベースに、前記保持部材を取り付けるための取付部材を一体的に形成し、
この取付部材は、前記リフトタブの回転軌道に沿った方向に前記保持部材を移動させる時のガイドを有する形状に形成したことを特徴とする記憶装置の筐体。
【請求項１２】
請求項１１に記載の記憶装置の筐体であって、
前記保持部材に、前記保持部材の移動方向に沿うと共に、前記保持部材を上下方向に貫通する長孔が設けられている時に、
前記取付部材に、前記保持部材の載置時に前記長孔に重なるネジ穴を形成したことを特徴とする記憶装置の筐体。
【請求項１３】
請求項１２に記載の記憶装置であって、
前記保持部材の背面が、前記スイングアームの回転軸を中心とする円周面に構成されている時に、
前記取付部材を低壁部と、この低壁部よりも高い高壁部とから構成し、
前記高壁部の前記保持部材の背面に接する面を、前記保持部材の円周面と同じ円周面を前記ガイドとして形成したことを特徴とする記憶装置の筐体。
【請求項１４】
請求項１２に記載の記憶装置であって、
前記保持部材の底面に、前記スイングアームの回転軸を中心とする円弧状の突条、或いは、前記スイングアームの回転軸を中心とする円周上に配置された少なくとも２本の円柱状の突起が設けられている場合に、
前記取付部材に、前記円弧状の突条、或いは前記少なくとも２本の円柱状の突起を摺動可能に受け入れる円周溝を前記ガイドとして形成したことを特徴とする記憶装置の筐体。
【請求項１５】
請求項１２に記載の記憶装置であって、
前記保持部材の底面に、前記スイングアームの回転軸を中心とする円周溝が形成されている場合に、
前記取付部材に、前記円周溝内を摺動可能な円弧状のレールを前記ガイドとして形成したことを特徴とする記憶装置の筐体。
【請求項１６】
装置の動作時にスイングアームの先端部に設けられたヘッドにより情報を記憶媒体に読み書きし、非動作時に前記ヘッドを前記記憶媒体の外周部近傍に退避させる記憶装置において、退避させたヘッドを保持するランプ機構であって、
前記スイングアームの最先端部に設けられたリフトタブを保持するランプを有する保持部材と、
前記保持部材を載置するために前記記憶装置のベース上に設けられ、前記リフトタブの回転軌道に沿った方向に前記保持部材を移動させる時のガイドを備える取付部材と、
前記保持部材を前記取付部材に結合する結合部材とから構成したことを特徴とする記憶装置のランプ機構。
【請求項１７】
請求項１６に記載の記憶装置のランプ機構であって、
前記保持部材に、前記保持部材の移動方向に沿うと共に、前記保持部材を上下方向に貫通する長孔を設け、
前記取付部材には、前記保持部材の載置時に前記長孔に重なるネジ穴を形成したことを特徴とする記憶装置のランプ機構。
【請求項１８】
請求項１６に記載の記憶装置のランプ機構であって、
前記保持部材の前記ランプから遠い側の側面を、前記スイングアームの回転軸を中心とする円周面に構成し、
前記取付部材を低壁部と、この低壁部よりも高い高壁部とから構成すると共に、前記高壁部に、前記保持部材の円周面と同じ円周面を前記ガイドとして形成したことを特徴とする記憶装置のランプ機構。
【請求項１９】
請求項１６に記載の記憶装置のランプ機構であって、
前記保持部材の底面に、前記スイングアームの回転軸を中心とする円弧状の突条、或いは、前記スイングアームの回転軸を中心とする円周上に配置された少なくとも２本の円柱状の突起を設け、
前記取付部材に、前記円弧状の突条、或いは前記少なくとも２本の円柱状の突起を摺動可能に受け入れる円周溝を前記ガイドとして形成したことを特徴とする記憶装置のランプ機構。
【請求項２０】
請求項１６に記載の記憶装置のランプ機構であって、
前記保持部材の底面に、前記スイングアームの回転軸を中心とする円周溝を形成し、
前記取付部材に、前記円周溝内を摺動可能な円弧状のレールを前記ガイドとして形成したことを特徴とする記憶装置のランプ機構。
【発明の詳細な説明】
【技術分野】
【０００１】
本発明はランプ機構を備えた記憶装置に関し、特に、ロード／アンロード方式の磁気ディスク装置のような記憶装置において、アンロード時にスライダに設けられた磁気ヘッドを、磁気ディスクの外周部近傍の位置で保持するランプ機構を備えた記憶装置に関する。
【背景技術】
【０００２】
通常、コンピュータにおけるデータの保存は、電源の供給が停止してもデータを保存することができる外部記憶装置によってなされる。この外部記憶装置には、半導体メモリ、光ディスク、及び磁気ディスク装置等が用いられるが、記憶容量が大きいことから、磁気ディスク装置が普及している。磁気ディスク装置としては、磁性体を塗布したデータ記憶用の円板と、円板に対してデータを読み書きする磁気ヘッドから構成されるハードディスク装置が主流になっている。ハードディスク装置に使用される円板は、磁性体を塗布したアルミニウムやガラスのディスクを何枚も重ねあわせた構造になっており、これをモータで高速に回転させて磁気ヘッドによってデータを読み書きする。【０００３】
ハードディスク装置には、コンタクト・スタート・ストップ（ＣＳＳ）方式のハードディスク装置と、ロード／アンロード方式のハードディスク装置がある。ＣＳＳ方式は、磁気ディスクが停止している時には磁気ヘッドが磁気ディスクに接触しており、磁気ディスクが回転すると磁気ヘッドが磁気ディスクから浮上し、磁気ディスクの回転が止まると再び磁気ディスクに接触する方式である。このＣＳＳ方式では、データが書き込まれた磁気ディスク上の領域とは別の内周領域（ＣＳＳゾーン）に磁気ヘッドが着地する。磁気ヘッドを備えるヘッドスライダには、磁気ヘッドの磁気ディスクへの着地時にスライダの全面がディスクに接触して吸着が発生しないように、脚が設けられている。【０００４】
一方、ロード／アンロード方式は、磁気ディスクが停止している時は、磁気ヘッドアクチュエータであるスイングアーム先端部に設けられた磁気ヘッドを磁気ディスク上からアンロードし、磁気ディスクが回転すると、磁気ヘッドを磁気ディスク上にロードする方式である。ロード／アンロード方式のハードディスク装置では、磁気ヘッドのアンロード時に磁気ヘッドを保持してもらうためのリフトタブが、スイングアームの先端部に突設されている。ハードディスク装置の磁気ディスクの外周部近傍の筐体に設けられたランプ機構は、このリフトタブをガイドして保持するためのものである。【０００５】
そして、磁気ヘッドを磁気ディスク上からアンロードする時に、スイングアームを磁気ディスクの外側方向に回転させると、リフトタブがランプ機構にガイドされて保持され、磁気ヘッドが磁気ディスクに接触しなくなる。このようなロード／アンロード方式のハードディスク装置は、例えば、特許文献１、２に記載されている。また一般に、ロード／アンロード方式は、耐衝撃性が求められる磁気ディスク装置において多く用いられている。【０００６】
特許文献１ではランプ機構が磁気ディスクの外周部の外側に設けられており、特許文献２ではランプ機構が磁気ディスクの内周部に設けられている。特許文献１ではランプ機構が十字状の孔に挿入されたボルトによって僅かに微調整可能に固定されており、特許文献２に開示のランプ機構は２点で固定されている。【０００７】
また、特許文献１に開示のランプ機構のように、ランプ機構が磁気ディスクの外周部の外側に設けられている場合は、ランプ機構をベースとは別体に形成し、このランプ機構を、ハードディスク装置の筐体のベースに設けられた２面の壁で位置決めして固定することが行われている。【０００８】
【特許文献１】ＵＳＰ５，２３７，４７２号
【特許文献２】ＵＳＰ５，５７４，６０４号
【発明の開示】
【発明が解決しようとする課題】
【０００９】
しかしながら、特許文献１に開示のランプ機構の微調整構造は、微調整の方向が直線的であり、微調整方向が磁気ヘッドの移動方向と合わず、また、ランプ機構を筐体のベースに２面の壁で固定してしまうと、ランプ機構の取り付け位置を微調整できず、アンロード時にジンバルばねの退避がうまくいかないという問題点があった。そして、ランプ機構のベースへの取り付け位置が最適に調整できないと、ロードビームのヘッドアクチュエータへの取付位置の精度の影響により、リフトタブとランプ機構との摺動位置が好適でなくなり、ヘッドスライダと磁気ディスクの衝突などが発生することがある。そして、ランプ機構の位置決めを変更するには、ランプ機構等の組み立て設備を変更せねばならず、時間とコストへの影響が大きかった。【００１０】
また、ランプ機構とリフトタブとが摺動する際には、摩擦粉が発生することが知られている。近年の磁気ディスク装置では、ヘッドの浮上量がごく僅か（例えば１０ｎｍ程度）であるために、摩擦粉が磁気ディスク上に落下すると、ヘッドクラッシュを引き起こす虞がある。そのために、ランプを精度良く位置決めし、ランプ機構において好適な条件でリフトタブを摺動させることが摩擦粉の発生を抑止するために非常に重要である。【００１１】
そして、摩擦粉の発生抑止のためには、ランプ機構とリフトタブとの接触面積をそれほど大きくは取れない。そのために、ランプ機構の位置決め制度が悪く、ランプ機構とリフトタブが正しく接触していない場合には、ヘッドを所定の位置に保持する際に、ランプ機構の摺動部やリフトタブに過度の力が加わり、摩擦粉の発生が抑止できなくなることがある。これに加えて、外部から衝撃が加わった場合には、最悪の場合、リフトタブがランプ機構から落下してしまう虞がある。以上のことから、ランプ機構を筐体の上で正しく位置決めし、好適な状態でヘッドを保持することが重要である。【００１２】
そこで本発明は、ランプ機構のリフトタブを保持する保持部材の、ベースに設けられた固定部に対する位置を、ヘッドを移動させるヘッドアクチュエータであるスイングアームの動きに合わせて微調整できるようにすることにより、ランプ機構とリフトタブとの位置関係を好適に調整することができるランプ機構を備えた記憶装置を提供することを目的としている。
【課題を解決するための手段】
【００１３】
前記目的を達成する本発明の記憶装置は、装置の動作時にスイングアームの先端部に設けられたヘッドにより情報を記憶媒体に読み書きし、非動作時にヘッドを記憶媒体の外周部近傍に設けられたランプ機構に退避させる記憶装置であって、ランプ機構を、スイングアームの最先端部に設けられたリフトタブを保持するランプを有する保持部材と、保持部材を載置するために記憶装置のベース上に設けられ、保持部材をリフトタブの回転軌道に沿った方向に移動させる時のガイドを備える取付部材と、保持部材を取付部材に結合する結合部材とから構成したことを特徴とするものである。【００１４】
また、前記目的を達成する本発明の記憶装置の筐体は、装置の動作時にスイングアームの先端部に設けられたヘッドにより情報を記憶媒体に読み書きし、非動作時にヘッドを記憶媒体の外周部近傍に設けられたランプ機構に退避させる記憶装置の筐体であって、ランプ機構が、スイングアームの最先端部に設けられたリフトタブを保持するランプを有する保持部材を備える場合に、筐体のベースに、保持部材を取り付けるための取付部材を一体的に形成し、この取付部材は、リフトタブの回転軌道に沿った方向に保持部材を移動させる時のガイドを有する形状に形成したことを特徴とするものである。【００１５】
更に、前記目的を達成する本発明の記憶装置のランプ機構は、装置の動作時にスイングアームの先端部に設けられたヘッドにより情報を記憶媒体に読み書きし、非動作時にヘッドを記憶媒体の外周部近傍に退避させる記憶装置において、退避させたヘッドを保持するランプ機構であって、スイングアームの最先端部に設けられたリフトタブを保持するランプを有する保持部材と、保持部材を載置するために記憶装置のベース上に設けられ、リフトタブの回転軌道に沿った方向に保持部材を移動させる時のガイドを備える取付部材と、保持部材を取付部材に結合する結合部材とから構成したことを特徴とするものである。
【発明の効果】
【００１６】
本発明によれば、ランプ機構のベースに対する固定部の微調整を磁気ヘッドを移動させるヘッドアクチュエータの動きに合わせることにより、ランプ機構とリフトタブとの位置関係を好適に調整することができる。
【図面の簡単な説明】
【００１７】
【図１】図１は従来のロード／アンロード方式のハードディスク装置の一例を示す平面図である。
【図２】図２は図１に示したロード／アンロード方式のハードディスク装置におけるランプ機構の構成を示す斜視図である。
【図３】図３は図２に示した従来のランプ機構における問題点を示す説明図である。
【図４】図４はロード／アンロード方式のハードディスク装置におけるランプ機構の、本発明の第１の実施例の構成を示す組み立て図である。
【図５】図５は図４に示した本発明のランプ機構を組み立てた後の状態を、ヘッドアクチュエータの先端部と共に示す平面図である。
【図６】図６は図４、図５に示した本発明の第１の実施例のランプ機構の変形実施例の構成を示す組み立て図である。
【図７】図７はロード／アンロード方式のハードディスク装置におけるランプ機構の、本発明の第２の実施例の構成を示す組み立て図である。
【図８】図８はロード／アンロード方式のハードディスク装置におけるランプ機構の、本発明の第２の実施例の変形例の構成を示す斜視図である。
【図９】図９はロード／アンロード方式のハードディスク装置におけるランプ機構の、本発明の第３の実施例の構成を示す組み立て図である。
【図１０】図１０はロード／アンロード方式のハードディスク装置におけるランプ機構の、本発明の第４の実施例の構成を示す組み立て図である。
【図１１】図１１はロード／アンロード方式のハードディスク装置におけるランプ機構の、本発明の第５の実施例の構成を示す平面図である。
【発明を実施するための最良の形態】
【００１８】
以下、図面を用いて本発明の好適な実施例を説明するが、本発明の実施例を説明する前に、図１から図３を用いて従来の典型的なロード／アンロード方式のハードディスク装置におけるランプ機構の有する問題点について説明する。【００１９】
図１は、従来のロード／アンロード方式のハードディスク装置１の一例を示すものである。ハードディスク装置１のベース２の上の一方の側には、記憶媒体として、スピンドルモータによって回転する少なくとも１枚の磁気ディスク４があり、この磁気ディスク４にはデータ記録用の多数のトラックがある。【００２０】
ハードディスク装置１のベース２の上の他方の側には、磁気ディスク４のトラックにアクセスしてデータの読み書きを行うヘッド（図示せず）を備えるスイングアーム５がある。ヘッドはスイングアーム５の先端部に取り付けられている。スイングアーム５は回転軸６を中心にして揺動するように構成されており、回転軸６に対してスイングアーム５と反対側には、スイングアーム５を駆動するボイスコイルモータ７がある。【００２１】
また、ロード／アンロード方式のハードディスク装置１では、アンロード時にはヘッドを磁気ディスク４の外側に退避させる。このため、ロード／アンロード方式のハードディスク装置１には、磁気ディスク４の外周部近傍のベース２の上に、スイングアーム５の先端部を保持するランプ機構３０がある。ランプ機構３０には、スイングアーム５の先端部に設けられたリフトタブ９を保持するための保持部材１０と、保持部材１０をベース２の上に固定するための取付部材２０とがある。取付部材２０は磁気ディスク４の外側に設けられるが、保持部材１０はその一部が磁気ディスク４とオーバラップしている。【００２２】
図２は図１に示したロード／アンロード方式のハードディスク装置１におけるランプ機構３０の構成を示すものである。ランプ機構３０は、プラスチック製の保持部材１０と、ベース２に一体的に形成された取付部材２０とがある。取付部材２０は別体で形成されてベース２に固着されることもある。保持部材１０には、図１に示したリフトタブ９を保持するためのランプ１１と、保持部材１０を取付部材２０に取り付けるための基部１２がある。基部１２はネジ８によって取付部材２０に形成された切欠部２１に固着される。【００２３】
図３は図２に示した保持部材１０のランプ１１に、スイングアーム５の先端部に設けられたリフトタブ９が保持される様子を示すものである。ランプ１１のスイングアーム側の面は、スイングアーム５の回転軌跡Ｔに合わせて、円周面となっている。このため、スイングアーム５のリフトタブ９は、スイングアーム５の回転によってランプ１１の上に乗り上げ、磁気ディスクの外部で保持される。【００２４】
ところが、従来のハードディスク装置１では、保持部材１０はｘｙｚの三軸とも取付部材２０に固定していたので、取付部材２０に対する保持部材１０の取付位置を微調整することができなかった。そして、保持部材１０の取付位置の微調整ができないと、スイングアーム５の先端部に取り付けるサスペンションの取り付け精度などの影響により、リフトタブ９とランプ１１との摺動位置が好適にならなかった場合に、好適な位置に修正する事ができないという問題点があった。この結果、リフトタブ９とランプ１１との位置決めを変更するには、ランプ機構等の組立設備を変えねばならず、時間やコストへの影響が無視できないという問題点があったのである。【００２５】
本発明は、ランプ機構３０の保持部材１０の固定部２０に対する位置を、スイングアーム５の動きに合わせて微調整できるようにするものであり、その代表的な実施例が図４から図１１に示される。なお、本発明の実施例においては、図１から図３で説明した従来技術のランプ機構と同じ構成部材については同じ符号を付して説明する。【００２６】
図４はロード／アンロード方式のハードディスク装置におけるランプ機構３０の、本発明の第１の実施例の構成を示す組み立て図である。第１の実施例では、保持部材１０の基部１２に穿設する取付孔を長孔１３とし、この長孔１３は、保持部材１０を取付部材２０の上に取り付けた状態で、スイングアーム５の回転軸（図示されず）を中心とした円周上にあるように湾曲させて形成する。また、基部１２のランプ１１から遠い側の背面１２Ａも、スイングアーム５の回転軸を中心とした円周と同じ曲率を備えた円周面とする。【００２７】
一方、取付部材２０は、高壁部２２と低壁部２３とで構成し、低壁部２３の頂面２３Ｔと高壁部２２の側壁で囲まれる切欠部２１に、保持部材１０の基部１２が載置されるようにする。そして、基部１２の背面１２Ａに対向する高壁部２２の内周面２２Ａは、基部１２の背面１２Ａと同じ曲率を備えた円周面に形成する。また、低壁部２３の頂面２３Ｔには、保持部材１０の基部１２に重なる位置にネジ穴２４を設ける。この実施例では、低壁部２３の内周面２３Ａもスイングアーム５の回転軸を中心とした円周と同じ曲率を備えた円周面としてあるが、この場合にはランプ１１の背面側も同じ円周面とすれば良い。なお、ランプ１１の背面側が円周面でない場合には、内周面２３Ａはランプ１１の移動時の障害にならなければ、特にその形状は限定されない。【００２８】
以上のように構成された保持部材１０は、基部１２の背面１２Ａを取付部材２０の高壁部２２の内周面２２Ａに合わせて取付部材２０の切欠部２１に載置する。そして、ワッシャ３８を介してねじ８を長孔１３に挿通し、低壁部２３の頂面２３Ｔに設けられたネジ穴２４に緩い力で締め付けて、保持部材１０を取付部材２０に仮止めする。この状態が図５に示される。【００２９】
この後、スイングアーム５がアンロード位置に来たときに、そのリフトタブ９が適切にランプ１１に保持されるように、保持部材１０を切欠２１内で矢印Ｂで示すように微動させ、適切な位置でネジ８を強固に締め付けて保持部材１０を取付部材２０の上に固定する。保持部材１０の矢印Ｂで示す方向への移動は、ネジ孔１３及び基部１２の背面１２Ａと高壁部２２の内周面２２Ａが、スイングアーム５の回転軸の同心円上に位置しているので、リフトタブ９の移動方向に沿った移動である。このため、保持部材１０を取付部材２０の上に取り付けて仮止めした後、ランプ１１の位置をリフトタブ９の移動方向に沿って最適な位置に調整することができる。このランプ１１を微小移動させる距離は、一般に１〜２ｍｍ程度である。【００３０】
図６は図４、図５に示した本発明の第１の実施例のランプ機構３０の変形実施例の構成を示すものである。図４、図５に示した本発明の第１の実施例のランプ機構３０では、保持部材１０を切欠部２１内で矢印Ｂで示す方向に移動させる時のガイドは、ネジ孔１３とネジ８のシャフトとの間には適度な隙間があるので、実質的に高壁部２２の内周面２２Ａのみであり、保持部材１０を移動させる場合には、基部１２の背面１２Ａを高壁部２２の内周面２２Ａに沿わせて移動させていた。【００３１】
図６に示した変形例は、切欠部２１内で保持部材１０を矢印Ｂで示す方向に移動させる時のガイドを増やした実施例である。即ち、この変形例では、保持部材１０の基部１２の底面１２Ｂの、背面１２Ａから離れた位置にガイド突起１４を突設し、このガイド突起１４に対応する低壁部２３の頂面２３Ｔに、スイングアーム５の回転軸を中心とした円周と同じ曲率を備え、溝幅がガイド突起１４の直径に等しいガイド溝２５を設けた。【００３２】
この構成では、切欠部２１内で保持部材１０を矢印Ｂで示す方向に移動させる時のガイドが、高壁部２２の内周面２２Ａとガイド溝２５の２つとなるので、保持部材１０の切欠部２１内における移動を安定して行うことができる。【００３３】
図７はロード／アンロード方式のハードディスク装置１におけるランプ機構３０の、本発明の第２の実施例の構成を示す組み立て図である。第２の実施例では、第１の実施例と同様に、保持部材１０の基部１２に穿設する取付孔を、スイングアーム５の回転軸を中心とした円周上にあるように湾曲させて形成した長孔１３とする。第２の実施例では、基部１２のランプ１１から遠い側の背面１２Ａは湾曲させる必要はなく、平坦面とすることができる。【００３４】
一方、第２の実施例では保持部材１０の基部１２の底面１２Ｂに、内周面と外周面とがスイングアーム５の回転軸を中心とした円周と同心円上にある円弧状のガイド突条（レール）１５を設けている。そして、保持部材１０を載置する取付部材２０側は、保持部材１０の移動限界を定めるストッパ壁２２Ｓの部分を除いて低壁部２３で構成する。そして低壁部２３の頂面２３Ｔには、保持部材１０の長孔１３に重なる位置にネジ穴２４を設けると共に、ガイド突条１５に重なる位置に、内周面と外周面とがスイングアーム５の回転軸を中心とした円周と同心円上にあり、ガイド突条１５を摺動させることができる円周溝であるガイド溝２６を形成する。【００３５】
第２の実施例のランプ機構３０は、保持部の基部１２の底面１２Ｂに突設したガイド突条１５を、取付部材２０に設けたガイド溝２６に挿入して組み立てる。そして、ワッシャ３８を介してねじ８を長孔１３に挿通し、低壁部２３の頂面２３Ｔに設けられたネジ穴２４に緩い力で締め付けて、保持部材１０を取付部材２０に仮止めする。以後は第１の実施例と同様にして、保持部材１０を取付部材２０の上に強固に固定することができる。【００３６】
図８はロード／アンロード方式のハードディスク装置１におけるランプ機構３０の、本発明の第２の実施例の変形例の構成を示す斜視図である。図８に示す変形例が図７で説明した第２の実施例と異なる点は、保持部材１０の形状のみである。即ち、第２の実施例の保持部材１０では、基部１２の底面１２Ｂに、円弧状のガイド突条１５を設けたが、第２の実施例の変形例では、ガイド突条１５の代わりに、２つのガイド突起１６を基部１２の底面１２Ｂに突設した。２つのガイド突起１６の直径は、取付部材２０のガイド溝２６の溝幅に等しく、その位置は、スイングアームの回転軸を中心とする同一の円周上であることは言うまでもない。【００３７】
図９はロード／アンロード方式のハードディスク装置１におけるランプ機構３０の、本発明の第３の実施例の構成を示す組み立て図である。第３の実施例では、第１の実施例と同様に、保持部材１０の基部１２に穿設する取付孔を、スイングアーム５の回転軸を中心とした円周上にあるように湾曲させて形成した長孔１３とする。第３の実施例では、基部１２のランプ１１から遠い側の背面１２Ａは湾曲させる必要はなく、平坦面とすることができる。【００３８】
一方、第３の実施例では保持部材１０の基部１２の底面１２Ｂに、内周面と外周面とがスイングアーム５の回転軸を中心とした円周と同心円上にある円弧状のガイド溝１７を設けている。そして、保持部材１０を載置する取付部材２０側は、保持部材１０の移動限界を定めるストッパ壁２２Ｓの部分を除いて低壁部２３で構成する。そして低壁部２３の頂面２３Ｔには、保持部材１０の長孔１３に重なる位置にネジ穴２４を設けると共に、ガイド溝１７に重なる位置に、内周面と外周面とがスイングアーム５の回転軸を中心とした円周と同心円上にあり、ガイド溝１７に挿入できて摺動させることができる円弧状のガイド突条（レール）２７を形成する。【００３９】
第３の実施例のランプ機構３０は、保持部の基部１２の底面１２Ｂに穿設したガイド溝１７に、取付部材２０に設けたガイド突条２７を挿入する。そして、ワッシャ３８を介してねじ８を長孔１３に挿通し、低壁部２３の頂面２３Ｔに設けられたネジ穴２４に緩い力で締め付けて、保持部材１０を取付部材２０に仮止めする。以後は第１の実施例と同様にして、保持部材１０を取付部材２０の上に強固に固定することができる。【００４０】
なお、本発明の第３の実施例の変形例の構成として、図示とその説明は省略するが、図７で説明したガイド突条１５に対応する図８で説明したガイド突起１６と同様に、取付部材２０に設けたガイド突条２７の代わりに複数本のガイド突起を、低壁部２３の頂面２３Ｔに設けることが可能である。【００４１】
図１０はロード／アンロード方式のハードディスク装置１におけるランプ機構の、本発明の第４の実施例の構成を示す組み立て図である。第４の実施例では、取付部材２０を、低壁部２３と、この低壁部２３よりも高い高壁部２２とから構成し、高壁部２２を低壁部２３の内側（前述のリフトタブに近い側）に形成する。そして、高壁部２２の外周面を、スイングアームの回転軸を中心とする円周面に形成してガイド面２２Ｂとする。また、高壁部２２の内周面２２Ａもスイングアームの回転軸を中心とする円周面に形成してガイド面とし、これに合わせて、保持部材１１のランプ１１が形成されている部材の、高壁部２２の内周面（ガイド面）２２Ａに対向する背面１９を高壁部２２の内周面２２Ａと同じ曲率の円周面とする。なお、低壁部２３の外周面２３Ｂの形状は、スイングアームの回転軸を中心とする円周面でも良いが、その他の曲面、或いは平坦面でもかまわない。【００４２】
一方、保持部材１０には第１から第３の実施例と同様の長孔１３を形成すると共に、その基部１２の底面１２Ｂには、その外周部の近傍に、低壁部２３に向かう突条１８を形成する。この突条１８の内周面１８Ａは、高壁部２２の外周面（ガイド面）２２Ｂの形状に一致する円周面とする。また、高壁部２２の頂面２２Ｔにはネジ穴２４を形成し、高壁部のディスク側の端部には、高壁部２２よりもさらに高いストッパ壁２８を形成する。【００４３】
第４の実施例のランプ機構３０は、保持部材１１のランプ１１が形成されている部材の背面１９を、高壁部２２の内周面２２Ａに沿わせて取付部材２０に近づけ、保持部材の基部１２の底面１２Ｂに突設した突条１８の内周面１８Ａを、取付部材２０の高壁部２２の外周面２２Ｂに嵌め合わせる。【００４４】
この結果、保持部材１０は、高壁部２２の内周面２２Ａと外周面２２Ｂをガイドとして、取付部材２０の上を、スイングアームの回転軸を中心とする円周方向に移動することができる。保持部材１０はワッシャ３８を介してねじ８を長孔１３に挿通し、低壁部２３の頂面２３Ｔに設けられたネジ穴２４に緩い力で締め付けて、保持部材１０を取付部材２０に仮止めする。以後は第１の実施例と同様にして、保持部材１０を取付部材２０の上に強固に固定することができる。【００４５】
図１１はロード／アンロード方式のハードディスク装置におけるランプ機構の、本発明の第５の実施例の構成を示す平面図である。第５の実施例は、図５に示した第１の実施例のランプ機構３０の保持部材１０の基部１２の一側に、保持部材１０の移動機構４０を追加したものである。第１の実施例のランプ機構３０の構成については既に説明したので、ここではその説明を省略する。【００４６】
保持部材１０の移動機構４０は、保持部材１０の基部１２に突設したラック４１と、取付部材２０の低壁部２３の頂面２３Ｔに回転軸を有し、ラック４１に歯合するピニオン４２、及び同じく取付部材２０の低壁部２３の頂面２３Ｔに回転軸を有し、ピニオン４２に歯合してこのピニオン４２を回転させる駆動ギヤ４３とから構成される。ラック４１は、スイングアームの回転軸を中心とする円周方向に湾曲させて形成する。【００４７】
また、この実施例では、ピニオン４２の直径は大きくして歯数を増やし、駆動ギヤ４３の直径は小さくして歯数を少なくして、駆動ギヤ４３の回転数に対してピニオン４２の回転数を減らし、ラック４１の移動を微調整できるようにした。更に、駆動ギヤ４３には六角穴４４を形成し、六角レンチなどの治具で外部から容易に回転させられるようにした。駆動ギヤ４３の歯数とピニオン４２の歯数の比が大きいほど微調整し易い。【００４８】
保持部材１０の移動機構４０は、以上説明した第１の実施例に取り付けられるばかりでなく、前述の第２から第４の実施例のランプ機構３０にも取り付けることが可能である。なお、以上説明した実施例では、保持部材を取付部材に固定するに際してネジを使用しているが、保持部材の取付部材への固定は、ネジに限定されるものではなく、一旦保持部材の取付部材に対する位置が調整されて、この後に調整が不要であれば、接着剤を用いて固定することができる。
【図１】
2008117465.tif 000003
【図２】
2008117465.tif 000004
【図３】
2008117465.tif 000005
【図４】
2008117465.tif 000006
【図５】
2008117465.tif 000007
【図６】
2008117465.tif 000008
【図７】
2008117465.tif 000009
【図８】
2008117465.tif 000010
【図９】
2008117465.tif 000011
【図１０】
2008117465.tif 000012
【図１１】
2008117465.tif 000013
【国際調査報告】
2008117465.tif 000014
2008117465.tif 000015